(57)【要約】      （修正有）【課題】様々な振動方法によって効率良く発電することのできる振動式発電機を提供する。【解決手段】筒部２１を様々な方法で振動させることにより、磁石部２２が筒部２１の転動面を転動するようにする。また、コイル部２３は、筒部２１の底面に対して傾斜を有する基準軸Ｙ１を中心にして、その基準軸Ｙ１の垂直面方向にコイルが巻かれている。これにより、磁石部２２が転動している位置によらず、磁石部２２とコイル部２３との間で生じる電磁誘導によって、効率良く発電することができる。【選択図】図１
2013146176.tif 000002
【特許請求の範囲】
【請求項１】
互いに異なる一対の極を有する磁石部と、
前記磁石部が自在に転動することが可能な転動面を有する筒部と、
前記筒部の側面にコイルが巻かれているコイル部と、
を備え、
前記筒部が振動することで前記磁石部が前記転動面を転動する際に、前記磁石部と前記コイル部との間で生じる電磁誘導によって発電することを特徴とする振動式発電機。
【請求項２】
前記筒部は、前記磁石部が自在に転動することが可能な底面を有し、
前記コイル部は、前記筒部の側面であって、かつ、前記底面に対して水平であるまたは傾斜を有する基準軸を中心にして、当該基準軸の垂直面方向にコイルが巻かれ、
前記筒部が当該筒部の底面に対して水平方向に振動することで、前記磁石部が前記底面を転動する際に、前記磁石部と前記コイル部との間で生じる電磁誘導によって発電することを特徴とする請求項１に記載の振動式発電機。
【請求項３】
前記筒部は、前記磁石部が自在に転動することが可能な底面を有するとともに、回動軸部と接続されて振り子になり、
前記コイル部は、前記筒部の側面であって、かつ、前記底面に対して水平であるまたは傾斜を有する基準軸を中心にしてコイルが巻かれ、
前記筒部が前記回動軸部を中心にして振り子運動をすることで、前記磁石部が前記底面を転動する際に、前記磁石部と前記コイル部との間で生じる電磁誘導によって発電することを特徴とする請求項１に記載の振動式発電機。
【請求項４】
前記筒部は、前記磁石部が自在に転動することが可能な側面を有するとともに、回動軸部と接続されて振り子になり、
前記筒部が前記回動軸部を中心にして振り子運動をすることで、前記磁石部が前記筒部の一方の端部から他方の端部に向かって前記側面を転動する際に、前記磁石部と前記コイル部との間で生じる電磁誘導によって発電することを特徴とする請求項１に記載の振動式発電機。
【請求項５】
前記筒部は、前記磁石部が自在に転動することが可能な側面を有するとともに、長手方向の中心位置にある回動軸部と接続され、
前記回動軸部を中心にして前記筒部の一方の端部と他方の端部とが交互に上下運動をすることで、前記磁石部が前記筒部の一方の端部から他方の端部に向かって前記側面を転動する際に、前記磁石部と前記コイル部との間で生じる電磁誘導によって発電することを特徴とする請求項１に記載の振動式発電機。
【請求項６】
前記筒部の両端部の周辺に、前記筒部の傾きが所定の傾きになるまで前記筒部の一方の端部及び他方の端部のいずれか一方に前記磁石部を一時的に固定しておくためのトラップ部を備えること特徴とする請求項４または５に記載の振動式発電機。
【請求項７】
前記筒部が、振動可能な棒状部の少なくとも一方の端部付近に設けられていることを特徴とする請求項１〜６のいずれか１項に記載の振動式発電機。
【請求項８】
前記棒状部が振動する方向と、前記筒部が振り子運動をする方向とが一致するように、前記筒部が前記棒状部に設けられていることを特徴とする請求項７に記載の振動式発電機。
【請求項９】
前記電磁誘導によって生じた電力により、所定の情報を送信する信号送信部を備えることを特徴とする請求項１〜８のいずれか１項に記載の振動式発電機。
【請求項１０】
前記電磁誘導によって生じた電力により発光する発光部を備えることを特徴とする請求項１〜８のいずれか１項に記載の振動式発電機。
【請求項１１】
蓄電素子を備えるとともに、前記電磁誘導によって生じた電力を前記蓄電素子に一時的に蓄えておくための制御を行う充電コントローラ部を備えることを特徴とする請求項９または１０に記載の振動式発電機。
【請求項１２】
前記信号送信部は、前記電磁誘導により電力が生じていないときにも、前記充電コントローラ部の前記蓄電素子から供給される電力により、所定の情報を所定の時間間隔で送信することを特徴とする請求項１１に記載の振動式発電機。
【請求項１３】
体温、血圧、脈拍及び体脂肪の少なくとも１つを含む生体情報を測定する生体情報センサ部を備え、
前記信号送信部は、前記電磁誘導によって生じた電力により、前記生体情報センサにより測定された生体情報を送信することを特徴とする請求項１２に記載の振動式発電機。
【請求項１４】
自動車の車輪の空気圧及び回転速度の少なくとも１つを含む車体情報を測定する車体情報センサ部を備え、
前記信号送信部は、前記電磁誘導によって生じた電力により、前記車体情報センサにより測定された車体情報を送信することを特徴とする請求項１２に記載の振動式発電機。
【請求項１５】
前記発光部は、前記電磁誘導により電力が生じていないときにも、前記充電コントローラ部の前記蓄電素子から供給される電力により発光することを特徴とする請求項１１に記載の振動式発電機。
【請求項１６】
前記磁石部は、互いに異なる一対の極を複数組有する多極磁石であることを特徴とする請求項１〜１５のいずれか１項に記載の振動式発電機。
【請求項１７】
前記磁石部は、球状の磁石であることを特徴とする請求項１〜１６のいずれか１項に記載の振動式発電機。
【請求項１８】
前記電磁誘導によって発電された電力を整流する整流回路部を備えることを特徴とする請求項１〜１７のいずれか１項に記載の振動式発電機。
【発明の詳細な説明】
【技術分野】
【０００１】
本発明は、振動式発電機に関し、特に振動によって発電する振動式発電機に関する。
【背景技術】
【０００２】
近年、従来のエネルギに代わる新しいエネルギとして、太陽光や風力のエネルギを用いた発電が注目されている。また、これにとどまらず、人が歩行する際の振動や、街中を飛び交う電磁波などの身の回りのエネルギから発電するエネルギーハーベスティング技術も注目を浴びている。
例えば、下記の特許文献１の揺動発電装置も、エネルギーハーベスティング技術を用いた一つである。この揺動発電装置は、弾性体を介して取り付けられている発電モジュール内をボールが動くことによって、同じく発電モジュール内の圧電素子にその揺動力が伝わることで発電する。
【先行技術文献】
【特許文献】
【０００３】
【特許文献１】特開２００１−３２０８８７号公報
【発明の概要】
【発明が解決しようとする課題】
【０００４】
しかしながら、上記の揺動発電装置にあっては、弾性体や圧電素子を用いたものであるため、圧電素子に揺動力が伝わるくらいにボールを動かさないと発電することができない。
そこで、本発明は、上記の課題に鑑み、様々な振動方法によって効率良く発電することのできる振動式発電機を提供することを目的とする。
【課題を解決するための手段】
【０００５】
本発明による振動式発電機は、上記の目的を達成するために、次のように構成される。
本発明のある態様による振動式発電機は、互いに異なる一対の極を有する磁石部と、前記磁石部が自在に転動することが可能な転動面を有する筒部と、前記筒部の側面にコイルが巻かれているコイル部と、を備え、前記筒部が振動することで前記磁石部が前記転動面を転動する際に、前記磁石部と前記コイル部との間で生じる電磁誘導によって発電することを特徴とする。
【０００６】
上記の振動式発電機によれば、筒部を様々な方法で振動させることにより、その筒部の転動面を磁石部が転動する際に、磁石部とコイル部との間で生じる電磁誘導によって発電することが可能となる。
本発明のある態様による振動式発電機は、前記筒部は、前記磁石部が自在に転動することが可能な底面を有し、前記コイル部は、前記筒部の側面であって、かつ、前記底面に対して水平であるまたは傾斜を有する基準軸を中心にして、当該基準軸の垂直面方向にコイルが巻かれ、前記筒部が当該筒部の底面に対して水平方向に振動することで、前記磁石部が前記底面を転動する際に、前記磁石部と前記コイル部との間で生じる電磁誘導によって発電することを特徴とする。
【０００７】
上記の振動式発電機によれば、筒部の底面に対して水平であるまたは傾斜を有する基準軸を中心にして、その基準軸の垂直面方向にコイルが巻かれている。そして、筒部を振動させることで、磁石部が転動している位置によらず、磁石部とコイル部との間で生じる電磁誘導によって、できるだけ効率良く発電することが可能となる。
本発明のある態様による振動式発電機は、前記筒部は、前記磁石部が自在に転動することが可能な底面を有するとともに、回動軸部と接続されて振り子になり、前記コイル部は、前記筒部の側面であって、かつ、前記底面に対して水平であるまたは傾斜を有する基準軸を中心にしてコイルが巻かれ、前記筒部が前記回動軸部を中心にして振り子運動をすることで、前記磁石部が前記底面を転動する際に、前記磁石部と前記コイル部との間で生じる電磁誘導によって発電することを特徴とする。
【０００８】
上記の振動式発電機によれば、筒部の底面に対して水平であるまたは傾斜を有する基準軸を中心にして、その基準軸の垂直面方向にコイルが巻かれている。そして、筒部を振り子運動させることで、磁石部が転動している位置によらず、磁石部とコイル部との間で生じる電磁誘導によって、できるだけ効率良く発電することが可能となる。
本発明のある態様による振動式発電機は、前記筒部は、前記磁石部が自在に転動することが可能な側面を有するとともに、回動軸部と接続されて振り子になり、前記筒部が前記回動軸部を中心にして振り子運動をすることで、前記磁石部が前記筒部の一方の端部から他方の端部に向かって前記側面を転動する際に、前記磁石部と前記コイル部との間で生じる電磁誘導によって発電することを特徴とする。
【０００９】
上記の振動式発電機によれば、磁石部の転動面を筒部の側面とし、筒部を振り子運動させることで、磁石部が筒部の一方の端部から他方の端部に向かって転動する際に、磁石部とコイル部との間で生じる電磁誘導によって発電することが可能となる。
本発明のある態様による振動式発電機は、前記筒部は、前記磁石部が自在に転動することが可能な側面を有するとともに、長手方向の中心位置にある回動軸部と接続され、前記回動軸部を中心にして前記筒部の一方の端部と他方の端部とが交互に上下運動をすることで、前記磁石部が前記筒部の一方の端部から他方の端部に向かって前記側面を転動する際に、前記磁石部と前記コイル部との間で生じる電磁誘導によって発電することを特徴とする。
【００１０】
上記の振動式発電機によれば、磁石部の転動面を筒部の側面とし、筒部の両方の端部が回動軸部を中心にして交互に上下運動をすることで、磁石部が筒部の一方の端部から他方の端部に向かって転動する際に、磁石部とコイル部との間で生じる電磁誘導によって発電することが可能となる。
本発明のある態様による振動式発電機は、前記筒部の両端部の周辺に、前記筒部の傾きが所定の傾きになるまで前記筒部の一方の端部及び他方の端部のいずれか一方に前記磁石部を一時的に固定しておくためのトラップ部を備えること特徴とする。
【００１１】
上記の振動式発電機によれば、トラップ部が、筒部の一方の端部及び他方の端部のいずれか一方に磁石部を一時的に固定しておく。このようトラップ部を設けておくことで、振動により筒部の傾きが所定の傾きになるまで、筒部の一方の端部及び他方の端部のいずれか一方に磁石部を一時的に固定しておくことができる。さらに、筒部の傾きが所定の傾きになった際には、磁石部を筒部の一方の端部から他方の端部に向かって、トラップ部がないときよりも高速に移動させることができる。つまり、磁石部とコイル部との間で生じる電磁誘導による発電の効率を高めることが可能となる。
【００１２】
本発明のある態様による振動式発電機は、前記筒部が、振動可能な棒状部の少なくとも一方の端部付近に設けられていることを特徴とする。
上記の振動式発電機によれば、筒部に設けられている振動可能な棒状部が振動することにより、棒状部の動きに合わせて筒部が振動する。その際、磁石部が筒部の内側の底面を転動する。そして、磁石部が筒部の内側の底面を自在に転動することで、磁石部とコイル部との間で生じる電磁誘導によって発電することが可能となる。
【００１３】
本発明のある態様による振動式発電機は、前記棒状部が振動する方向と、前記筒部が振り子運動をする方向とが一致するように、前記筒部が前記棒状部に設けられていることを特徴とする。
上記の振動式発電機によれば、棒状部が振動する方向と、筒部が振り子運動をする方向とを一致させることで、発電の効率を高めることが可能となる。
【００１４】
本発明のある態様による振動式発電機は、前記電磁誘導によって生じた電力により、所定の情報を送信する信号送信部を備えることを特徴とする。
上記の振動式発電機によれば、外部の信号受信部等に対して、電磁誘導によって生じた電力により、各種の情報を送信する。この情報を活用することで、一例として、生体情報や車体情報であれば、これらの情報を受け取った側では、健康状態や車体の状態等を確認することが可能となる。
【００１５】
本発明のある態様による振動式発電機は、前記電磁誘導によって生じた電力により発光する発光部を備えることを特徴とする。
上記の振動式発電機によれば、電磁誘導によって生じた電力により、例えば発光ダイオード（ＬＥＤ；Ｌｉｇｈｔ  Ｅｍｉｔｔｉｎｇ  Ｄｉｏｄｅ）等が点灯する。一例として、傘にＬＥＤが設けられているのであれば、ＬＥＤが点灯したときの明るさによって、デザイン的に傘の見栄えを良くしたり、事故防止や犯罪防止等に役立てたりすることが可能となる。
【００１６】
本発明のある態様による振動式発電機は、蓄電素子を備えるとともに、前記電磁誘導によって生じた電力を前記蓄電素子に一時的に蓄えておくための制御を行う充電コントローラ部を備えることを特徴とする。
上記の振動式発電機によれば、充電コントローラ部が、蓄電素子を有している。そして、充電コントローラ部が、電磁誘導によって生じた電力を各部に供給する前に、蓄電素子に電力を蓄電するための制御を行う。充電コントローラ部を用いることにより、例えば、筒部の振動が微小であるときに発電されたときの小さい電力を一時的に蓄積しておくことが可能となる。
【００１７】
本発明のある態様による振動式発電機は、前記信号送信部は、前記電磁誘導により電力が生じていないときにも、前記充電コントローラ部の前記蓄電素子から供給される電力により、所定の情報を所定の時間間隔で送信することを特徴とする。
上記の振動式発電機によれば、充電コントローラ部を用いることにより、例えば、筒部が振動した後、全く筒部が振動しない状態が続いている場合であっても、信号送信部は、充電コントローラ部の蓄電素子から供給される電力により、所定の情報を所定の時間間隔（例えば、筒部が最後に振動した後、３時間毎）で送信したりすることが可能となる。
【００１８】
つまり、充電コントローラ部が微小な電力をためておいて、その電力を少しずつ使うことと、筒部が振動しないときにも信号送信部が信号を定期的に送信し続けることとが可能となる。
本発明のある態様による振動式発電機は、体温、血圧、脈拍及び体脂肪の少なくとも１つを含む生体情報を測定する生体情報センサ部を備え、前記信号送信部は、前記電磁誘導によって生じた電力により、前記生体情報センサにより測定された生体情報を送信することを特徴とする。
【００１９】
上記の振動式発電機によれば、生体情報センサが、電池等を用いなくても、発電された電力によってエネルギを用いて、体温や脈拍等の生体情報等を測定して、外部の信号受信部等に対して送信することが可能となる。
本発明のある態様による振動式発電機は、自動車の車輪の空気圧及び回転速度の少なくとも１つを含む車体情報を測定する車体情報センサ部を備え、前記信号送信部は、前記電磁誘導によって生じた電力により、前記車体情報センサにより測定された車体情報を送信することを特徴とする。
【００２０】
上記の振動式発電機によれば、車体情報センサが、電池等を用いなくても、発電された電力によってエネルギを用いて、自動車の車輪の空気圧及び回転速度等の車体情報等を測定して、外部の信号受信部等に対して送信することが可能となる。
本発明のある態様による振動式発電機は、前記発光部は、前記電磁誘導により電力が生じていないときにも、前記充電コントローラ部の前記蓄電素子から供給される電力により発光することを特徴とする。
【００２１】
上記の振動式発電機によれば、一例として、傘にＬＥＤが設けられているのであれば、傘カバー部を広げていない時には、複数のＬＥＤを点灯させずに、蓄電素子に一時的に蓄電するようにしておく。そして、雨が降ってきたため、傘カバー部を広げて傘を使用する時には、蓄電素子に蓄電されている電力によって、ＬＥＤを点灯させることが可能となる。
【００２２】
本発明のある態様による振動式発電機は、前記磁石部は、互いに異なる一対の極を複数組有する多極磁石であることを特徴とする。
上記の振動式発電機によれば、磁石部が、Ｎ極とＳ極との組数を多くすることにより、磁石部による磁界をできるだけ変化させて、磁石部とコイル部との間で生じる電磁誘導によって効率良く発電することが可能となる。
【００２３】
本発明のある態様による振動式発電機は、前記磁石部は、球状の磁石であることを特徴とする。
上記の振動式発電機によれば、磁石部は球状であるため、磁石部が筒部の一方の端部から他方の端部に向かって一気に転動し始める際に、磁石部が回転しながら転がるようになっている。要するに、コイル部からみて、磁石部による磁界が変化するようになり、磁石部とコイル部との間で生じる電磁誘導によって効率良く発電することが可能となる。
【００２４】
本発明のある態様による振動式発電機は、前記電磁誘導によって発電された電力を整流する整流回路部を備えることを特徴とする。
上記の振動式発電機によれば、整流回路部が、上記で説明した電磁誘導によって発電された電力を交流から直流に変換する。これにより、電磁誘導によって発電された電力を、センサ部及び信号送信部を駆動するための電力として供給することが可能となる。
【発明の効果】
【００２５】
本発明の振動式発電機によれば、筒部の底面に対して水平であるまたは傾斜を有する基準軸を中心にして、その基準軸の垂直面方向にコイルが巻かれていることで、磁石部が転動している位置によらず、磁石部とコイル部との間で生じる電磁誘導によって、できるだけ効率良く発電することができる。
また、本発明の振動式発電機によれば、筒部を様々な方法で振動させることにより、筒部の転動面を磁石部が転動する際に、磁石部とコイル部との間で生じる電磁誘導によって、できるだけ効率良く発電することができる。
【図面の簡単な説明】
【００２６】
【図１】第１実施形態に係る振動式発電機１０の内部構造を示す斜視図である。
【図２】第１実施形態に係る振動式発電機１０の内部構造を示す上面断面図である。
【図３】第１実施形態に係る振動式発電機１０の内部構造を示す側面断面図である。
【図４】２極磁石である磁石部２２と、４極磁石である磁石部２２´との構造を示す断面図である。
【図５】第１実施形態に係る振動式発電機１０の内部回路４０の回路構成を示すブロック図である。
【図６】第１実施形態の第１変形例に係る振動式発電機５０の内部構造を示す上面断面図である。
【図７】第１実施形態の第２変形例に係る振動式発電機６０の内部構造を示す上面断面図である。
【図８】第２実施形態に係る振動式発電機７０の内部構造を示す側面断面図である。
【図９】第３実施形態に係る振動式発電機８０の内部構造を示す側面断面図である。
【図１０】第３実施形態の変形例に係る振動式発電機１００の内部構造を示す側面断面図である。
【図１１】第４実施形態に係る振動式発電機１２０の内部構造を示す側面断面図である。
【図１２】振動式発電機１０を用いて構成された第５実施形態に係る傘２００の構造を示す斜視図（傘カバー部２０２を広げた状態）である。
【図１３】振動式発電機１０を用いて構成された第５実施形態に係る傘２００の構造を示す斜視図（傘カバー部２０２を畳んだ状態）である。
【図１４】振動式発電機１０を用いて構成された第５実施形態に係る傘２００が振動しているときの状態を示す模式図である。
【図１５】振動式発電機（振動式発電部）９０´を用いて構成された第６実施形態に係る傘３００が振動しているときの状態を示す模式図である。
【図１６】振動式発電機１０を用いて構成された変形例に係る折り畳み式傘４００の取手部４０１の構造を示す斜視図（要部拡大図）である。
【図１７】振動式発電機（振動式発電部）９０´を用いて構成された変形例に係るスキー用のストック５００の構造を示す斜視図である。
【発明を実施するための形態】
【００２７】
以下に、添付した図面を参照しながら、本発明の振動式発電機の好適な実施形態を詳細に説明する。
（第１実施形態）
（振動式発電機１０の装置構成）
まず、図１を参照して、第１実施形態に係る振動式発電機１０の内部構造を説明する。
【００２８】
図１は、第１実施形態に係る振動式発電機１０の内部構造を示す斜視図である。図１に示す振動式発電機１０は、筐体１１の内部に、筒部２１と、磁石部２２と、コイル部２３と、整流回路部４１と、充電コントローラ部４２とが設けられている。
筒部２１は、円柱状であって、磁石部２２が自在に転動することが可能な内側の底面２１ａを有している。また、この筒部２１は、筐体１１と一体となっている。第１実施形態に係る振動式発電機１０にあっては、発電部として、様々な電子機器等に設けられる。そして、振動式発電機１０が設けられている電子機器等を身につけている者が歩行したり、振動式発電機１０が設けられている電子機器等を搭載されている自動車が走行したりする際の振動、他にも、風や水流等による振動によって、筐体１１が、例えば図中に矢印Ａ〜Ｄで示す方向に振動する。すると、その筐体１１の振動に伴って、筒部２１も例えば図中に矢印Ａ〜Ｄと同じ方向に振動するようになっている。なお、振動方向にあっては、図中に矢印Ａ〜Ｄで示す方向以外にも、水平方向に対して傾斜している方向であったり、垂直方向であったりしても良い。
【００２９】
磁石部２２は、互いに異なる一対の極を有する球状の永久磁石である。磁石部２２は、筒部２１の内側の底面２１ａを自在に転動することが可能である。
コイル部２３は、その筒部２１の側面に、コイルが巻かれている部分である。なお、コイル部２３は、筒部の外側面や外底面であって、かつ、底面２１ａに対して傾斜を有する基準軸Ｙ１を中心にして、その基準軸Ｙ１の垂直面方向にコイルが巻かれている。
【００３０】
整流回路部４１は、上記で説明した電磁誘導によって発電された電力を交流から直流に変換する。これにより、電磁誘導によって発電された電力を、信号送信部４５を駆動するための電力として供給することができる。
充電コントローラ部４２は、蓄電素子４３を有しており、蓄電素子４３に一時的に蓄電するための制御を行う。必ずしも充電コントローラ部４２を必要としないが、充電コントローラ部４２を用いることにより、例えば、筒部２１の振動が微小であるときに発電されたときの小さい電力を一時的に蓄積しておいたり、筒部２１が振動した後、全く筒部２１が振動しない状態が続いている場合であっても、後述する信号送信部４５は、充電コントローラ部４２の蓄電素子４３から供給される電力により、所定の情報を所定の時間間隔（例えば、筒部２１が最後に振動した後、３時間毎）で送信したりすることができるようになる。
【００３１】
つまり、充電コントローラ部４２が微小な電力をためておいて、その電力を少しずつ使うことと、筒部２１が振動しないときにも信号送信部４５が信号を定期的に送信し続けることとができる。
センサ部４４は、上記の電磁誘導によって生じた電力により、体温、血圧、脈拍及び体脂肪の少なくとも１つを測定する生体情報センサ部や、自動車の車輪の空気圧及び回転速度の少なくとも１つを測定する車体情報センサ部等である。この他にも、センサ部４４は、上記の電磁誘導によって生じた電力により、気温、湿度及び大気圧の少なくとも１つを測定するセンサであっても良い。
【００３２】
信号送信部４５は、上記の電磁誘導によって生じた電力により、図示しない信号受信部等に対して、センサ部４４で測定された情報を送信する。なお、図示しないが、信号受信部等に対して情報を送信するためのアンテナが設けられている。勿論、アンテナは、外部アンテナとして、取手部１１の外部に露出していても良い。
また、図２は、第１実施形態に係る振動式発電機１０の内部構造を示す上面断面図である。さらに、図３は、第１実施形態に係る振動式発電機１０の内部構造を示す側面断面図である。
【００３３】
図２に示すように、筒部２１が振動すると、その動きに伴って、磁石部２２が筒部２１の内側の底面２１ａを例えば図中に矢印Ａ〜Ｄで示す方向に転動する。勿論、磁石部２２は、図中に矢印Ａ〜Ｄで示す方向に限らず、筒部２１の内側の底面２１ａを自在に転動することが可能である。また、磁石部２２が転動している中で、筒部２１の内側面に接触すれば、磁石部２２はさらに別の方向に転動するようになっている。
【００３４】
また、図３を参照するとわかるように、コイル部２３は、筒部２１の側面に、底面２１ａ（基準軸Ｘ１）に対する傾斜を有する基準軸Ｙ１を中心にして、その基準軸Ｙ１の垂直面方向にコイルが巻かれている。このため、上記で説明したように、磁石部２２が筒部２１の内側の底面２１ａを自在に転動している際に、その磁石部２２が転動している位置によらずに、磁石部２２とコイル部２３との間で生じる電磁誘導によって、効率良く発電することができるようになっていることがわかる。
【００３５】
なお、通常では、磁石部２２は、図３に示すように、筒部２１の内側の底面２１ａと接触している状態で転動している。但し、筒部２１が振動することによって、磁石部２２が、筒部２１の内側の底面２１ａから一時的に離れても構わない。この場合にあっても、筒部２１の側面に、底面２１ａに対する傾斜を有する基準軸Ｙ１を中心にして、その基準軸Ｙ１の垂直面方向にコイルが巻かれているものであるため、その磁石部２２が転動している位置によらず、磁石部２２とコイル部２３との間で生じる電磁誘導によって、効率良く発電することができるようになっている。
【００３６】
上記で説明したように、図示するように筒部２１の側面には、底面２１ａに対する傾斜を有する基準軸Ｙ１を中心にして、その基準軸Ｙ１の垂直面方向にコイル部２３が設けられている。このため、磁石部２２が筒部２１の内側の底面２１ａを自在に転動している際に、その磁石部２２が転動している位置によらず、磁石部２２とコイル部２３との間で生じる電磁誘導によって、効率良く発電することができる。なお、コイル部２３のコイルの巻き方や巻数、配置位置、配置数等については、効率良く発電するために適宜選択することができる。
【００３７】
（磁石部２２の構造）
続いて、図４を参照して、磁石部２２の構造を説明する。
図４は、２極磁石である磁石部２２と、４極磁石である磁石部２２´との構造を示す断面図である。図４に示す２極磁石である磁石部２２は、Ｎ極とＳ極との２極を１組有する多極磁石である。また、４極磁石である磁石部２２´は、Ｎ極とＳ極との２極を２組有する多極磁石である。
本実施形態に係る振動式発電機１０にあっては、磁石部２２を用いている。図４に示す磁石部２２の断面部を参照するとわかるように、磁石部２２にあっては、Ｎ極とＳ極との異なる２極を有している。また、磁石部２２は球状であるため、筒部２１の一方の端部にとどまっていた磁石部２２が他方の端部に向かって一気に転動し始めると、磁石部２２が回転しながら転がる。要するに、コイル部２３からみて、磁石部２６による磁界が変化することになり、磁石部２２とコイル部２３との間で生じる電磁誘導によって効率良く発電することができる。
【００３８】
なお、磁石部２２´のようにＮ極とＳ極との組数を多くすることにより、磁石部２２´による磁界をできるだけ多く変化させて、磁石部２２´とコイル部２３との間で生じる電磁誘導によって効率良く発電することができる。さらには、磁石部２２を８極磁石等としても良い。
また、磁石部２２は、ネオジムや鉄等を成分とするネオジム磁石（永久磁石）である。このため、磁石部２２が、筒部２１の内側の底面２１ａを自在に転動するのを繰り返しているうちに、その表面が欠けてしまうのを防止する必要がある。そこで、磁石部２２は、樹脂やゴム等のコーティングやニッケルメッキ等による表面加工が施されている。また、このような表面加工が施されることによって、磁石部２２の表面に、見栄えの良い銀色の光沢感を出すこともできる。
【００３９】
（振動式発電機１０の内部回路４０の構成）
続いて、図５を参照して、第１実施形態に係る振動式発電機１０の内部回路４０の回路構成を説明する。
図５は、第１実施形態に係る振動式発電機１０の内部回路４０の回路構成を示すブロック図である。図５に示す内部回路４０を有する振動式発電機１０は、上述したように、筐体１１が振動するのに伴って、筒部２１も振動する。すると、磁石部２２が、筒部２１の内側の底面２１ａを自在に転動し始める。筒部２１の側面には、コイル部２３が設けられているため、磁石部２２が、筒部２１の内側の底面２１ａを自在に転動している際に、磁石部２２とコイル部２３との間で生じる電磁誘導によって発電することができる。すなわち、コイル部２３に電流が流れる。
【００４０】
その電磁誘導によって発電された電力は、整流回路部４１で整流された後に、蓄電素子４３に蓄電されて、センサ部４４や信号送信部４５等に供給される。つまり、外部の処理部の電源は、電池等から供給される電力ではなく、電磁誘導によって発電された電力である。
なお、上記で説明した振動式発電機１０においては、底面２１ａ（基準軸Ｘ１）に対して傾斜を有する基準軸Ｙ１を中心にして、その基準軸Ｙ１の垂直面方向にコイルが巻かれているものであった。但し、磁石部２２が筒部２１の内側の底面２１ａを自在に転動している際に、その磁石部２２が転動している位置によらず、磁石部２２とコイル部２３との間で生じる電磁誘導によって、効率良く発電することができれば良い。
【００４１】
従って、図６に示す第１実施形態の第１変形例に係る振動式発電機５０のように、コイル部５１が設けられていても良い。この振動式発電機５０にあっては、コイル部５１が、底面２１ａ（基準軸Ｘ２）に対して９０°の傾斜を有している基準軸Ｙ２を中心にして、その基準軸Ｙ２の垂直面方向にコイルが巻かれている。
さらには、図７に示す第１実施形態の第２変形例に係る振動式発電機６０のように、コイル部６１が設けられていても良い。この振動式発電機６０にあっては、コイル部６１が、底面２１ａ（基準軸Ｘ３）に対して水平である基準軸Ｙ３を中心にして、その基準軸Ｙ３の垂直面方向にコイルが巻かれている。
【００４２】
（第２実施形態）
なお、上記で説明した第１実施形態に係る振動式発電機１０は、筒部２１と筐体１１とが一体となっており、筐体１１が振動する方向と同じ方向に、筒部２１も振動するようになっていた。しかしながら、筒部２１も振動させる方法にあっては、この限りではない。
（振動式発電機７０の構造）
そこで、図８を参照して、第２実施形態に係る振動式発電機７０の内部構造を説明する。
図８は、第２実施形態に係る振動式発電機７０の内部構造を示す側面断面図である。図８に示す第２実施形態に係る振動式発電機７０は、筐体７１の内部に、第１実施形態に係る振動式発電機１０と同様の要部を有している。なお、整流回路部４１と、充電コントローラ部４２とについては、説明の都合上、これ以降図示及びその説明を省略する。
【００４３】
この第２実施形態に係る振動式発電機７０においては、筒部２１が、軸部７２及び筐体１１とを介して回動軸部７３と接続されて振り子になっている。なお、筒部２１と筐体１１とが一体になっていれば、筒部２１と軸部７２とが直接接続されていなくても、筒部２１と軸部７２とが直接接続されているのと同じである。
【００４４】
第２実施形態に係る振動式発電機７０の発電方法を具体的に説明すると、振動式発電機７０が設けられている装置等を身につけている者が歩行したり、振動式発電機７０が設けられている電子機器等を搭載されている自動車が走行したりする際の振動、風や水流等の振動によって、筒部２１が回動軸部７３を中心にして、図中に矢印Ｅに示す方向に振り子運動をする。これにより、磁石部２２が筒部２１の内側の底面２１ａを転動している際に、磁石部２２とコイル部２３との間で生じる電磁誘導によって発電することができる。
【００４５】
上記で説明したように、第２実施形態に係る振動式発電機５０にあっても、第１実施形態に係る振動式発電機１０と同様に、筒部２１の側面には、底面２１ａに対する傾斜を有する基準軸を中心にして、その基準軸の垂直面方向にコイル部２３が設けられているものである。このため、磁石部２２が筒部２１の内側の底面２１ａを自在に転動している際に、その磁石部２２が転動している位置によらず、磁石部２２とコイル部２３との間で生じる電磁誘導によって、効率良く発電することができる。
【００４６】
（第３実施形態）
なお、上記で説明した第２実施形態に係る振動式発電機７０は、磁石部２２が自在に転動することが可能な底面２１ａを有しており、磁石部２２が、その筒部２１の内側の底面２１ａを自在に転動することができるものであった。しかしながら、磁石部２２が転動するのは、筒部２１の内側の底面２１ａに限らず、筒部２１の側面であっても良い。
【００４７】
（振動式発電機８０の構造）
続いて、図９を参照して、第３実施形態に係る振動式発電機８０の内部構造を説明する。
図９は、第３実施形態に係る振動式発電機８０の内部構造を示す側面断面図である。図９に示す振動式発電機８０は、筐体８１の内部に、上記で説明した第１実施形態に係る振動式発電機１０の代わりに振動式発電機（振動式発電部）９０が設けられている。この振動式発電機（振動式発電部）９０には、筒部９１と、磁石部９２と、コイル部９３とを有する筐体９５が設けられている。
【００４８】
筒部９１と、磁石部９２と、コイル部９３とは、上記で説明した筒部２１と、磁石部２２と、コイル部２３とにそれぞれ対応している構成要部である。そして、この第３実施形態に係る振動式発電機８０においても、筒部９１が、軸部７２及び筐体９５とを介して回動軸部７３と接続されて振り子になっている。なお、筒部９１と筐体９５とが一体になっていれば、筒部９１と軸部７２とが直接接続されていなくても、筒部９１と軸部７２とが直接されているのと同じである。
【００４９】
この第３実施形態に係る振動式発電機８０と第２実施形態に係る振動式発電機２０との最大の違いは、磁石部２２の転動する面が異なることである。第３実施形態に係る振動式発電機８０にあっては、磁石部９２が筒部９１の内部の底面９１ａや底面９１ｂを転動せずに、筒部９１の内部の側面９１ｃを転動する。
しかしながら、第３実施形態に係る振動式発電機８０と第１実施形態に係る振動式発電機２０との振動方式は、筒部９１が回動軸部７３を中心にして、図中に矢印Ｅに示す方向に振り子運動をする点で全く同じである。これにより、第３実施形態に係る振動式発電機８０にあっても、磁石部９２が筒部９１の内部の側面９１ｃを転動している際に、磁石部９２とコイル部９３との間で生じる電磁誘導によって発電することができる。
【００５０】
なお、筒部２１が振り子運動をすることで、磁石部９２が筒部９１の内部の側面９１ｃを転動さえすれば、磁石部９２の形状は、磁石部２２のように球状に限らない。例えば、図９を参照してわかるように、円柱形状の磁石部９２を用いることもできる。同時に、筒部９１の形状にあっても、円柱形状や直方体形状等のように制限されない。よって、磁石部９２が筒部９１の内部の側面９１ｃを転動しやすいように、筒部９１は、その長手方向が振り子運動する方向に合わせて曲がっている。
【００５１】
さらに、振動式発電機８０にあっては、筒部９１の一方の端部の底面９１ａに、磁石であるトラップ部９４ａが設けられ、筒部９１の他方の端部の底面９１ｂに、同じく磁石であるトラップ部９４ｂが設けられている。具体的に、磁石部９２による磁力によって、該磁石部９２が吸着する吸着部材を用いても良い。吸着部材として、例えば鉄片を用いることができる。このようなトラップ部９４ａ，９４ｂを設けておくことで、筒部９１が振り子運動をして、筒部９１の傾きが所定の傾きになるまで、筒部９１の一方の端部に磁石部９２を一時的に固定しておくことができる。さらに、筒部９１の傾きが所定の傾きになった際には、筒部９１の一方の端部にとどまっていた磁石部９２を他方の端部に向かって、トラップ部９４ａ，９４ｂがないときよりも高速に転動させることができる。つまり、磁石部９２とコイル部９３との間で生じる電磁誘導による発電の効率を高めることができる。
【００５２】
また、上記のトラップ部９４ａ，９４ｂは、筒部９１が振り子運動をして、筒部９１の傾きが所定の傾きになるまで、筒部９１の端部に磁石部９２を一時的に固定しておければ良い。このため、トラップ部９４ａ，９４ｂの種類は、磁石に限らない。図１０は、図９に示した振動式発電機８０とは別の変形例として、その変形例に係る振動式発電機１００の内部構造を示す側面断面図である。
【００５３】
図１０に示す振動式発電機１００は、筐体８１の内部に、上記で説明した振動式発電機（振動式発電部）９０の代わりに振動式発電機（振動式発電部）９０´が設けられている。この振動式発電機（振動式発電部）９０´には、一例ではあるが、筒部２１の端部の内側面９１ｃに設けられた凸部（または凹部）であるトラップ部１０１ａ，１０１ｂが設けられている。これにより、磁石であるトラップ部９４ａ，９４ｂと同様に、筒部９１の傾きが所定の傾きになるまで、筒部９１の端部に磁石部９２を一時的に固定しておくことができる。
【００５４】
上記で説明した磁石であるトラップ部９４ａ，９４ｂや、凸部であるトラップ部１０１ａ，１０１ｂは、筒部９１の端部の周辺に設けられていれば上記の効果を得ることができる。
【００５５】
（第４実施形態）
（振動式発電機１２０の構造）
続いて、図１１を参照して、第４実施形態に係る振動式発電機１２０の内部構造を説明する。
図１１は、第４実施形態に係る振動式発電機１２０の内部構造を示す側面断面図である。図１１に示す振動式発電機１２０は、筐体１２１の内部に、第２実施形態及び第３実施形態に係る振動式発電機と実質同様の要部を有している。なお、この第４実施形態に係る振動式発電機１２０においても、筒部１２２が、筐体１２４を介して回動軸部７３と接続されているが、筒部１２２と筐体１２４とが一体になっていれば、筒部１２２と軸部７２とが直接接続されていなくても、筒部１２２と軸部７２とが直接接続されているのと同じである。
【００５６】
上記で説明した第２実施形態及び第３実施形態に係る振動式発電機は、その内部の筒部９１が、回動軸部７３を中心にして振り子運動をするものであった。しかしながら、第４実施形態に係る振動式発電機１２０においては、筒部１２２が、その長手方向の中心位置で、回動軸部７３と直接接続されている。そして、回動軸部７３を中心にして、筒部１２２の一方の端部と他方の端部とが、図中の矢印Ｆで示す方向に、交互に上下運動をする。これにより、筒部１２２の一方の端部にとどまっている状態の磁石部９２が、筒部１２２の内部の側面１２２ａを、筒部１２２の他方の端部に向かって一気に転動する。その際に、磁石部９２とコイル部１２３との間で生じる電磁誘導によって発電することができる。
【００５７】
（第５実施形態）
（振動式発電機１０を用いた傘２００の構造）
続いて、図１２及び図１３を参照して、第５実施形態として、第１実施形態に係る振動式発電機１０を用いた傘２００の構造を説明する。
図１２は、振動式発電機１０を用いて構成された第５実施形態に係る傘２００の構造を示す斜視図（傘カバー部２０２を広げた状態）である。また、図１３は、振動式発電機１０を用いて構成された第５実施形態に係る傘２００の構造を示す斜視図（傘カバー部２０２を畳んだ状態）である。
【００５８】
図１２に示す傘２００は、取手部２０１と、傘カバー部２０２と、中棒部２０３と、複数の骨材部２０４−１〜２０４−８と、石突部２０５と、スライド部２０６とを備えて構成される。なお、これらの要部は、雨傘や日傘等の傘として一般的に有する要部である。
取手部２０１は、図１２に示すように傘カバー部２０２を広げて傘２００を使用したり、図１３に示すように傘カバー部２０２を畳んで傘２００を持ち歩いたりする際に、手で握ることができるようになっている部分である。取手部２０１の形状は、手で握りやすい形状に施されている。
傘カバー部２０２には、ビニール樹脂等の撥水性を有する素材等が用いられており、傘カバー部２０２は、雨や日差しを遮る役割を果たす。
【００５９】
中棒部２０３は、傘２００の全体を支える役割を果たす。この中棒部２０３は、傘カバー部２０２を広げたり、畳んだりする際に、スライド部２０６をスライドさせることができるようになっている。
複数の骨材部２０４−１〜２０４−８は、傘カバー部２０２の内側に、中棒部２０３の軸を中心にして放射状に広がっている。また、複数の骨材部２０４−１〜２０４−８は、傘カバー部２０２と一体になるように、傘カバー部２０２に縫い付けられている。これにより、複数の骨材部２０４−１〜２０４−８は、傘カバー部２０２を支持することができる。
【００６０】
また、複数の骨材部２０４−１〜２０４−８の中間部分には関節部があり、この関節部を介して別の骨材が設けられている。その骨材の先端の部分をまとめて、中棒部２０３に沿ってスライドすることができる環状のスライド部２０６がある。このスライド部２０６をスライドさせることで、傘カバー部２０２を広げたり、畳んだりすることができる。
石突部２０５は、中棒部２０３の取手部２０１とは反対の端部に設けられている。この石突部２０５は、中棒部２０３と同部材で一体になっていても良いし、別部材を接合したものであっても良い。また、傘カバー部２０２を畳んで傘２００を持ち歩いている際、中棒部２０３が地面や床等を突いたときに中棒部２０３の先端の部分が破損してしまわないように、石突部２０５は、中棒部２０３より硬い素材を用いて形成されていることが望ましい。
【００６１】
さらに、図１２に示す傘２００には、上記で説明した傘としての一般的な要部の他に、上記で説明した第１実施形態に係る振動式発電機１０と、複数の骨材部２０４−１〜２０４−８に対応して設けられた複数のＬＥＤ２１１−１〜２１１−８とを有している。
上記の振動式発電機１０は、本実施形態に係る傘２００において、傘２００の石突部２０５に設けられている。上記で説明した通り、石突部２０５と中棒部２０３とは、同部材で一体になっていても良いし、別部材を接合したものであっても良い。つまり、振動式発電機１０は、中棒部２０３の一方の端部付近に設けられている。
【００６２】
また、ＬＥＤ２１１−１〜２１１−８は、傘カバー部２０２を支える複数の骨材部２０４−１〜２０４−８の先端の部分にそれぞれ設けられている。そして、振動式発電機１０と複数のＬＥＤ２１１−１〜２１１−８との間は、図１２中に破線で示すように、導線２１２によって電気的に接続されている。
ＬＥＤ２１１−１〜２１１−８は、振動式発電機１０によって発電された電力で点灯する。ＬＥＤ２１１−１〜２１１−８が点灯したときの明るさによって、デザイン的に傘２００の見栄えを良くしたり、事故防止や犯罪防止等に役立てたりすることができる。なお、振動式発電機１０によって発電された電力で点灯されるものはＬＥＤ２１１−１〜２１１−８に限定されないが、発光部として、ＬＥＤ２１１−１〜２１１−８のように他の電球より比較的小型であったり、低消費電力であったり、長寿命であったり、適度な明るさが得られたりするものが好ましい。
【００６３】
また、導線２１２を配線する仕方は、振動式発電機１０やＬＥＤ２１１−１〜２１１−８を設ける箇所等によって異なる。例えば、上記で説明したように、複数の骨材部２０４−１〜２０４−８の先端の部分にＬＥＤ２１１−１〜２１１−８を設ける場合には、複数の骨材部２０４−１〜２０４−８の内部に配線したり、骨材部２０４−１〜２０４−８の周囲に配線したりすれば良い。
【００６４】
（振動式発電機１０を用いた傘２００による発電方法）
続いて、図１４を参照して、振動式発電機１０を用いて構成された第５実施形態に係る傘２００による発電方法を説明する。
図１４は、振動式発電機１０を用いて構成された第５実施形態に係る傘２００が振動しているときの状態を示す模式図である。図１４に示すように、例えば、傘２００を畳んで手に持って歩行していると、その人の手の動きに合わせて、傘２００が、図１４中に示す矢印Ｇの方向に自然に揺れる。すると、振動式発電機１０も、傘２００の中棒部２０３の動きに合わせて振動する。その際、図２等を参照して説明した通り、振動式発電機１０の内部に設けられている磁石部２２が筒部の内側の底面を転動する。磁石部２２が筒部の内側の底面を自在に転動している際に、振動式発電機１０は、磁石部２２とコイル部との間で生じる電磁誘導によって発電する。
【００６５】
勿論、駅のホームで電車を待っている最中に、傘２００をゴルフクラブに見立ててスイングの練習をしている間にも、傘２００の中棒部２０３の振動に合わせて振動式発電機１０が振動するため、振動式発電機１０は発電することができる。また、傘２００を野球のバットに見立てて同じようなことをしても、振動式発電機１０は発電することができる。
また、図示しないが、傘カバー部２０２を広げた際に、振動式発電機１０と複数のＬＥＤ２１１−１〜２１１−８との間が、電気的にオフ状態からオン状態に切り替わるようなスイッチ部を、例えば中棒部２０３に設けておく。これにより、傘カバー部２０２を広げていない時には、複数のＬＥＤ２１１−１〜２１１−８を点灯させずに、充電コントローラ部４２を用いることにより、蓄電素子４３に一時的に蓄電するようにしておくことができる。そして、図１４に示すように、例えば、雨が降ってきたため、傘カバー部２０２を広げて傘２００を使用する時には、そのスイッチ部が自動的にオフ状態からオン状態に切り替わる。すると、蓄電素子４３に蓄電されている電力によって、ＬＥＤ２１１−１〜２１１−８が点灯する。
【００６６】
なお、本実施形態の説明では、傘２００に用いる振動式発電機が第１実施形態に係る振動式発電機１０であったが、これに限らず、他の実施形態で説明した振動式発電機を用いることもできる。
【００６７】
（第６実施形態）
（振動式発電機（振動式発電部）９０´を用いた傘３００の構造）
続いて、図１５を参照して、第６実施形態として、第３実施形態に係る振動式発電機８０の筐体８１の内部にある振動式発電機（振動式発電部）９０´を用いた傘３００の構造を説明する。
図１５は、振動式発電機（振動式発電部）９０´を用いて構成された第６実施形態に係る傘３００が振動しているときの状態を示す模式図である。
図１５に示す傘３００には、上記で説明した傘としての一般的な要部の他に、振動式発電機１０に代えて、上記で説明した振動式発電機（振動式発電部）９０´を有している。
【００６８】
上記の振動式発電機（振動式発電部）９０´は、傘２００同様に、本実施形態に係る傘３００において、傘３００の石突部に設けられている。上記で説明した通り、石突部と中棒部とは、同部材で一体になっていても良いし、別部材を接合したものであっても良い。つまり、振動式発電機（振動式発電部）９０´は、中棒部の一方の端部付近に設けられている。
【００６９】
（振動式発電機（振動式発電部）９０´を用いた傘３００による発電方法）
続いて、図１５を参照して、振動式発電機（振動式発電部）９０´を用いて構成された第６実施形態に係る傘３００による発電方法を説明する。
図１５に示すように、例えば、傘３００を畳んで手に持って歩行していると、その人の手の動きに合わせて、傘３００が、図１５中に示す矢印Ｇの方向に自然に揺れる。すると、振動式発電機（振動式発電部）９０´も、傘３００の中棒部の動きに合わせて振動する。その際、図１０等を参照して説明した通り、振動式発電機（振動式発電部）９０´の内部に設けられている磁石部９２が筒部の側面を転動する。磁石部９２が筒部の側面を自在に転動している際に、振動式発電機（振動式発電部）９０´は、磁石部９２とコイル部との間で生じる電磁誘導によって発電する。
【００７０】
そして、傘３００に、振動式発電機１０の代わりに、上記のような筒部が振り子運動をすることによって、磁石部９２が筒部の内部の側面を転動して発電する振動式発電機（振動式発電部）９０´を用いる場合には、次のように振動式発電機（振動式発電部）９０´を設けると良い。上記の傘３００の中棒部が振動する方向（図１５中に示す矢印Ｇの方向）と、振動式発電機（振動式発電部）９０´の内部の筒部が振り子運動をする方向（図１０中に示す矢印Ｅの方向）とが一致するように、振動式発電機（振動式発電部）９０´を石突部に設ける。
【００７１】
上記で説明したように、振動式発電機（振動式発電部）９０´は、筒部が振り子運動をすることで、磁石部９２が筒部の内部の側面を転動して、発電するものであった。傘３００を畳んで手に持って歩行していると、その人の手の動きに合わせて、傘３００が、図１５中に示す矢印Ｇの方向に自然に揺れる。この揺れ方が、振り子運動をすることによる振動と同じである。このため、振動式発電機（振動式発電部）９０´は、振動式発電機１０よりも、磁石部９２とコイル部との間で生じる電磁誘導による発電の効率を高めることができる。
【００７２】
さらに、振動式発電機（振動式発電部）９０´には、筒部の端部の内側面に、凸部（または凹部）であるトラップ部１０１ａ，１０１ｂが設けられている。このようなトラップ部１０１ａ，１０１ｂを設けておくことで、筒部が振り子運動をして、筒部の傾きが所定の傾きになるまで、筒部の一方の端部に磁石部９２を一時的に固定しておくことができる。さらに、筒部の傾きが所定の傾きになった際には、筒部の一方の端部にとどまっていた磁石部９２を他方の端部に向かって、トラップ部１０１ａ，１０１ｂがないときよりも高速に転動させることができる。つまり、振動式発電機（振動式発電部）９０´は、振動式発電機１０よりも、磁石部９２とコイル部との間で生じる電磁誘導による発電の効率を高めることができる。
【００７３】
また、第３実施形態の変形例に係る振動式発電機１００の筐体８１の内部には、振動式発電機（振動式発電部）９０が設けられていた。この振動式発電機（振動式発電部）９０は、振動式発電機（振動式発電部）９０´のトラップ部１０１ａ，１０１ｂとは異なるトラップ部９４ａ，９４ｂが設けられていた。このような振動式発電機（振動式発電部）９０を、傘２００に用いることもできる。
【００７４】
この他にも、第２実施形態に係る振動式発電機７０を、傘２００に用いることができる。図８に示した第２実施形態に係る振動式発電機７０は、筐体７１の内部に、第１実施形態に係る振動式発電機１０と同様の要部を有していた。そして、振動式発電機７０は、筒部２１が、軸部７２及び筐体１１とを介して回動軸部７３と接続されて振り子になっていた。
【００７５】
このため、傘２００に、振動式発電機１０の代わりに、上記のような振り子運動をすることによって発電する振動式発電機７０を用いる場合にも、傘２００の中棒部が振動する方向（図１４中に示す矢印Ｇの方向）と、振動式発電機７０の内部の筒部が振り子運動をする方向（図８中に示す矢印Ｅの方向）とが一致するように、振動式発電機７０を石突部に設けると良い。すると、振動式発電機７０は、効率良く発電することができる。
【００７６】
このように、傘２００に設ける振動式発電機を、任意に選ぶことができる。
さらに、振動式発電機の外部の形状は、傘２００のデザイン等に合わせて変更することができる。このため、振動式発電機の外部の形状に合わせて、傘２００に用いる振動式発電機を選ぶことができる。
例えば、図１６に示すような折りたたみ傘４００であれば、取手部４０１の形状に合わせて、取手部４０１の内部に第１実施形態に係る振動式発電機１０を設けることができる。
【００７７】
また、振動式発電機を用いることができるものは、傘に限らない。要するに、中棒部２０３と石突部２０５とから成る振動可能な棒状部を有しているものであって、傘２００の中棒部２０３（石突部２０５）のような棒状部の少なくとも一方の端部付近に振動式発電機を設けることができるものであれば良い。
具体的なものとして、お年寄りや怪我をしている人の歩行を補助するために用いる杖がある。杖であれば、例えば傘２００と同様に、杖の取手部とは反対の端部付近に振動式発電機やＬＥＤを設ければ良い。そして、歩行している時の杖の振動によって振動式発電機が発電し、その電力によってＬＥＤを点灯させることができる。
【００７８】
また、振動式発電機を、登山やスキー等に用いるストックに適用することもできる。例えば、図１７に示すようなスキー用のストック５００であれば、棒状部（ストック）５０１−１，５０１−２の先端に設けられているリング５０２−１，５０２−２の付近の取手部（グリップ）５０３−１，５０３−２側に、例えば振動式発電機（振動式発電部）９０´を設けておく。上記の傘と同様に、振動式発電機（振動式発電部）９０´が振動することによって発電し、その発電された電力を蓄電しておく。そして、山やスキー場で遭難した際に、取手部（グリップ）５０３−１，５０３−２に設けられているＬＥＤ５０４−１，５０４−２を、蓄電されている電力によって点灯させることにより、救助を求めることができる。
【００７９】
この他のものとして、シャープペンシル等のような筆記具がある。例えば、シャープペンシルであれば、ペン先と反対の端部付近に振動式発電機とＬＥＤとを設ければ良い。そして、そのシャープペンシルを用いて筆記している時の振動によって発電することができる。さらに、その電力によってＬＥＤを点灯させることで、シャープペンシルを手軽なペンライトとして用いることができる。
【００８０】
（各実施形態の説明のまとめ）
上記の各実施形態に係る振動式発電機は、筒部の底面に対して水平であるまたは傾斜を有する基準軸を中心にして、その基準軸の垂直面方向にコイルが巻かれていることで、磁石部が転動している位置によらず、磁石部とコイル部との間で生じる電磁誘導によって、できるだけ効率良く発電することができる。
さらに、筒部を様々な方法で振動させて、筒部の転動面を磁石部が転動する際に、磁石部とコイル部との間で生じる電磁誘導によって発電することができる。
【産業上の利用可能性】
【００８１】
本発明に係る振動式発電機は、人が歩行したり、自動車が走行したりする際の振動、さらには、風や水流等の振動により、筒部の転動面を磁石部が転動する際に、磁石部とコイル部との間で生じる電磁誘導によって発電することのできる発電部として、様々な電子機器や日用品等の内部に設けることができる。
【符号の説明】
【００８２】
１０……振動式発電機
１１……筐体
２１……筒部
２２……磁石部
２３……コイル部
４１……整流回路部
４２……充電コントローラ部
４４……センサ部
４５……信号送信部
【図１】
2013146176.tif 000003
【図２】
2013146176.tif 000004
【図３】
2013146176.tif 000005
【図４】
2013146176.tif 000006
【図５】
2013146176.tif 000007
【図６】
2013146176.tif 000008
【図７】
2013146176.tif 000009
【図８】
2013146176.tif 000010
【図９】
2013146176.tif 000011
【図１０】
2013146176.tif 000012
【図１１】
2013146176.tif 000013
【図１２】
2013146176.tif 000014
【図１３】
2013146176.tif 000015
【図１４】
2013146176.tif 000016
【図１５】
2013146176.tif 000017
【図１６】
2013146176.tif 000018
【図１７】
2013146176.tif 000019